(57)【特許請求の範囲】
【請求項１】
長鎖高度不飽和脂肪酸１重量部に対し、オレイン酸３〜９重量部、リノール酸５〜１５重量部、及びリノレン酸０．１〜１．５重量部の脂肪酸組成比率を持つ油脂組成物。
【請求項２】
長鎖高度不飽和脂肪酸１重量部に対し、オレイン酸３〜７重量部、リノール酸６〜１０重量部、及びリノレン酸０．５〜１．５重量部の脂肪酸組成比率を持つ油脂組成物。
【請求項３】
全脂肪酸組成に占める長鎖高度不飽和脂肪酸の割合が３〜７重量％であることを特徴とする、請求項１又は２記載の油脂組成物。
【請求項４】
長鎖高度不飽和脂肪酸１重量部に対し、オレイン酸５〜４０重量部、リノール酸１２〜４５重量部、及びリノレン酸０．１〜４重量部の脂肪酸組成比率を持つ油脂組成物。
【請求項５】
長鎖高度不飽和脂肪酸１重量部に対し、オレイン酸８〜３５重量部、リノール酸１２〜４５重量部、及びリノレン酸０．２〜３重量部の脂肪酸組成比率を持つ油脂組成物。
【請求項６】
全脂肪酸組成に占める長鎖高度不飽和脂肪酸の割合が１〜３重量％未満であることを特徴とする、請求項４又は５記載の油脂組成物。
【請求項７】
長鎖高度不飽和脂肪酸がＥＰＡ及び／又はＤＨＡである、請求項１ないし６のいずれか一項に記載の油脂組成物。
【請求項８】
酸化防止剤が添加されていないことを特徴とする、請求項１〜７のいずれか一項に記載の油脂組成物。
【請求項９】
酸化防止剤を０．００５〜０．０２重量％含む請求項１〜７のいずれか一項に記載の油脂組成物。
【請求項１０】
５℃で液体状態であることを特徴とする請求項１〜９のいずれか一項に記載の油脂組成物。
【請求項１１】
亜麻仁油、コーン油及び精製魚油から調製されたものであることを特徴とする、請求項１〜１０のいずれか一項に記載の油脂組成物。
【発明の詳細な説明】
【技術分野】
【０００１】  本発明は、長鎖高度不飽和脂肪酸、特に、ＥＰＡ及び／又はＤＨＡを含む抗酸化油脂組成物、及びその調製方法等に関する。
【背景技術】
【０００２】  エイコサペンタエン酸（以下、「ＥＰＡ」と記載）及びドコサヘキサエン酸（以下、「ＤＨＡ」と記載）に代表される長鎖高度不飽和脂肪酸は様々な生理活性を有し、それらの機能性に関する研究が盛んに行なわれている。しかしながら、これらの長鎖高度不飽和脂肪酸は酸化しやすいという欠点があり、また、保存中にこれらの油脂特有の「戻り臭」と呼ばれる官能上好ましくない風味が発生するため、健康食品に代表されるゼラチンカプセルや缶詰等のみに応用範囲が限られていた。【０００３】  これまでに長鎖高度不飽和脂肪酸を高度に含有する油脂の変質の防止には抗酸化剤、酸化防止剤、抗酸化相乗剤を組み合わせて添加する方法が示されている。
例として、特開平０２−２０８３９０号公報にはリン脂質とトコフェロールを有効成分とする抗酸化剤組成物が示され、特開平０２−５５７８５号公報には茶抽出物とトコフェロール、Ｌ−アスコルビン酸エステル等を配合してなる抗酸化剤組成物が開示されている。【０００４】  更に、特開平０５−１４０５８４号公報（特許第３３８０７５号：特許文献１）にはトコフェロール及びＬ−アスコルビン酸パルミチン酸エステル、更にレシチン混合物を添加することによる多価不飽和脂肪酸の戻り臭抑制の方法、特開平０９−２６３７８４号公報（特許文献２）にはδ−トコフェロール、及びそれとＬ−アスコルビン酸エステルを含む臭気の抑制された多価不飽和脂肪酸含有油脂、並びに、特開平１１−２９９４２０号公報（特許文献３）にはオリーブ油、トコフェロール及びアスコルビン酸類が含有されたドコサヘキサエン酸含有油脂組成物が開示されている。
しかしながら、これら発明で得られる魚油の戻り臭に対する効果は一時的であり、持続力を有しない。【０００５】  一方、マスキング剤に関しても、特開平０６−１８９７１７号公報に脂溶性ジンジャーフレーバーを用いる方法、特開平０７−２３６４１８号公報にはシソ科、フトモモ科、クスノキ科香辛料抽出物を用いる方法、特開平０８−２３９６８５号公報には南天の葉抽出エキスとビタミンＣを用いた方法、及び特開平０８−２７５７２８号公報にはレモン油を用いた方法等、多種多用の抽出物を用いた方法が示されているが、抗酸化剤も含めてこれら製剤の油脂への添加は脱臭後の不活性ガス下で作業を行う必要性があり、濁りを生じることがある等、作業性、商品価値の問題があった。【０００６】  更に、高度不飽和脂肪酸含有油脂の構造や物性を変化させることにより油脂自体の安定性を改善し食品に応用する方法として、特開平０６−２８７５９３号公報、特開平０７−３０８１５３号公報、及び特開平０８−２６９４４７号公報に固体脂や水素添加油脂等の酸化安定性の高い油脂と魚油のエステル交換技術が開示され、更に、特開平０７−２１６３８３号公報、特開平０７−２６４９８５号公報、特開平０７−２６８３８５号公報、及び特開平０７−２７４８２６号公報には魚油自体を微水添することによって酸化安定性を向上させる手法が開示されている。【０００７】  このように、従来、ＥＰＡやＤＨＡ等の長鎖高度不飽和脂肪酸の風味安定性を維持するには、酸化安定性の高い中鎖脂肪酸トリグリセリドや飽和、モノ飽和酸系油脂（例えば、パーム油など）とのエステル交換や魚油自体の微水添等、トリグリセリド１分子中の二重結合数の減少若しくは油脂組成物を構成する脂肪酸全体の２重結合数を減少させることが重要であると考えられていた。
しかしながら、これらの作業を行った場合、油脂は常温で固体となり使用できる食品や用途は限定されてしまうのみならず、魚油微水添を行ってしまった場合にはＥＰＡ、ＤＨＡ自体が還元されてしまうため、生理活性も著しく低下する恐れがあった。【０００８】
【特許文献１】特開平０５−１４０５８４号公報
【特許文献２】特開平０９−２６３７８４号公報
【特許文献３】特開平１１−２９９４２０号公報
【発明の開示】
【発明が解決しようとする課題】
【０００９】  従って、当該技術分野において、魚油の戻り臭を長期間防ぎ、しかも一般の調理にも問題無く用いることができる油脂組成物の開発が望まれていた。従って、本発明の目的はこのような油脂組成物を提供することである。【００１０】  本発明者は上記課題を解決すべく検討した結果、特定の抗酸化剤を用いることなく、あえてＥＰＡ及びＤＨＡ等の長鎖高度不飽和脂肪酸以外の酸化性の高い多価不飽和脂肪酸を積極的に一定量共存させ、特定の脂肪酸比に油脂を混合することによって、簡便に、しかも効果的に長期間魚臭（戻り臭）を抑制し、長期間保存しても官能上好ましい風味が維持されることを見出し、本発明を完成させた。
【課題を解決するための手段】
【００１１】  即ち、本発明は、長鎖高度不飽和脂肪酸１重量部に対し、オレイン酸３〜９重量部、好ましくは３〜７重量部、リノール酸５〜１５重量部、好ましくは６〜１０重量部、及び、リノレン酸０．１〜１．５重量部、好ましくは０．５〜１．５重量部の脂肪酸組成比率を持つ油脂組成物に係る。かかる脂肪酸組成比率を有する油脂組成物においては、油脂組成物中の全脂肪酸組成に占める長鎖高度不飽和脂肪酸の割合は３〜７重量％であることが好ましい。７重量％以上であると魚臭（戻り臭）の抑制効果が十分でなくなり、官能上好ましくない。【００１２】  本発明は更に、長鎖高度不飽和脂肪酸１重量部に対し、オレイン酸５〜４０重量部、好ましくは、８〜３５重量部、リノール酸１０〜６０重量部、好ましくは１２〜４５重量部、及びリノレン酸０．１〜４重量部、好ましくは０．２〜３重量部の脂肪酸組成比率を持つ油脂組成物に係る。かかる脂肪酸組成比率を有する油脂組成物においては、油脂組成物中の全脂肪酸組成に占める長鎖高度不飽和脂肪酸の割合は１〜３重量％未満であることが好ましい。【００１３】  本発明において「長鎖高度不飽和脂肪酸」とは、炭素数２０以上かつ二重結合を３つ以上有するｎ−３系の脂肪酸を意味する。【００１４】  以上のような特定の脂肪酸組成比率を満たす場合、風味安定性が高く、長期間保存しても官能上好ましい風味が維持される長鎖高度不飽和脂肪酸含有油脂組成物が得られる。
【発明の効果】
【００１５】  本発明によって、特定の抗酸化剤を用いることなく、あえてＥＰＡ及びＤＨＡ等の長鎖高度不飽和脂肪酸以外の酸化性の高い多価不飽和脂肪酸を一定量共存させ、特定の脂肪酸比に油脂を混合することによって、簡便に、しかも効果的に長期間魚臭（戻り臭）を抑制し、長期間保存しても官能上好ましい風味が維持することが出来た。
【発明を実施するための最良の形態】
【００１６】  本発明の長鎖高度不飽和脂肪酸の代表的な例として、ＥＰＡ及び／又はＤＨＡを挙げることが出来る。これら長鎖高度不飽和脂肪酸の由来に特に制限は無く、各種動植物、微生物、藻類から得られたものが市販されており、これら当業者には公知のものを適宜使用することができる。その中でも、特に魚油、特にカツオ、マグロ由来のＥＰＡ及びＤＨＡ濃縮油（精製魚油）は純度とコストの点で好ましい。尚、本発明の油脂組成物には二種類以上の長鎖高度不飽和脂肪酸が含まれていても良い。【００１７】  本発明で使用するオレイン酸、リノール酸は当業者に公知な任意のものを使用することができる。これらは、通常、トリグリセリドの構成脂肪酸として様々な油脂に含まれている。この様な油脂の例として、コーン油、ヒマワリ油、紅花油、小麦胚芽油、等の植物油脂を挙げることができる。また、任意の２種以上植物油脂を適宜混合して使用することもできる。この中でも特にコーン油はコスト面、脂肪酸組成面両方の点で好ましい。【００１８】  本発明で使用するリノレン酸は当業者に公知な任意のものを使用することができる。これは、通常、トリグリセリドの構成脂肪酸として様々な油脂に含まれている。この様な油脂の例として、亜麻仁油、紫蘇油、菜種油、大豆油等の植物油脂が挙げることができる。この中でも特に、亜麻仁油が脂肪酸組成の点で好ましい。【００１９】  本発明の油脂組成物の調製方法に特に制限はない。例えば、上記に示した各油脂のいずれか一種から、又はそれらを適当に混合することによって調製することが出来る。特に、亜麻仁油、コーン油及び精製魚油から調製された油脂組成物が好適である。【００２０】  本発明におけるＥＰＡ、ＤＨＡ、オレイン酸、リノール酸、リノレン酸の重量％は、「基準油脂分析試験法  参３．２．３−１９９６」に従い、ガスクロマトグラフ（ＧＬＣ）分析法によるクロマトグラムピーク面積比に基づく百分率組成比から算出した重量％を基準に規定した。【００２１】  既に記載したように、本発明の油脂組成物においては、各脂肪酸が所定の組成比率を満たすことによって、風味安定性が高く、長期間保存しても官能上好ましい風味が維持される、という効果が奏効される。従って、このような効果を得るために、本発明の油脂組成物に酸化防止剤を添加する必要は一切ない。しかしながら、油脂の酸化安定性の向上、加熱安定性の向上機能性付与の観点から、トコフェロール、アスコルビン酸エステル、ローズマリー抽出物、茶抽出物、甘草抽出物等の当業者に公知の酸化防止剤（抗酸化剤）や、クエン酸やリンゴ酸等の金属器キレート剤、グリセリン脂肪酸エステル、ショ糖脂肪酸エステル、レシチン等の乳化剤やシリコーン等の消泡剤も適宜任意に添加することができる。酸化防止剤を添加する場合には、通常、０．００５〜０．２重量％が適当である。
尚、本発明の油脂組成物は、フライ調理を除く一般的な調理に広く使用することができる。【００２２】  油脂の酸化の経時変化を調べる目的等で過酸化物価（ＰＯＶ）が指標として用いられることがある。これは、油脂が空気中の酸素を取りこんで生成するハイドロパーオキサイドをヨウ化カリウムと反応させ、遊離したヨウ素をチオ硫酸ソーダ溶液で滴定し、試料１ｋｇに対するミリ等量数（単位：ｍｅｑ／ｋｇ）で表したものであるが、本発明においてはＰＯＶと官能上好ましくない風味（戻り臭）との明確な相関がないことも特徴の一つである。そのため本発明の効果については油脂組成物中に含まれる各脂肪酸の配合と官能評価により判定する。【００２３】  本発明における「官能上好ましくない風味」とは、２，４，７−デカトリエナール等に代表されるような生臭い魚臭（戻り臭）のことであり、このような「官能上好ましくない風味」に関する評価は、本明細書中の実施例、比較例の官能評価法によって行うことができる。
【実施例】
【００２４】  次に実施例及び比較例により本発明を説明するが、本発明はこれに限定されるものではない。各実施例中、％は重量％を示す。【００２５】（実施例１、実施例２、比較例１、比較例２、比較例３、比較例４）
ドコサヘキサン酸（ＤＨＡ）２６．７％、エイコサペンタエン酸（ＥＰＡ）８．３％を含有する精製高ドコサヘキサエン酸含有魚油と、オレイン酸２８．８％、リノール酸４５．５％を含む精製コーン油、リノレン酸を３９．８％含む精製亜麻仁油を用いて表１に示す割合に均一に混合した。【００２６】（比較例５）
ドコサヘキサン酸（ＤＨＡ）２６．７％、エイコサペンタエン酸（ＥＰＡ）８．３％を含有する精製高ドコサヘキサエン酸含有魚油と、オレイン酸７７．４％を含む精製ハイオレイック紅花油、リノール酸７７．３％を含む精製紅花油、リノレン酸を３９．８％含む精製亜麻仁油を用いて表１に示す割合に均一混合した。【００２７】
【表１】
0003884465.tif 000002
【００２８】  実施例１及び２、比較例１〜５に示した油脂組成物を内径７．４ｃｍ、深さ３．７ｃｍの深型シャーレに１０ｇ取り、開放状熊で６０℃オーブンに保存し、臭気を官能検査により評価した。評価は表２に示した５段階評価（４名のパネラー（ｎ＝４）による平均値）とした。【００２９】
【表２】
0003884465.tif 000003
【００３０】  評価結果を表３に示したが、ＥＰＡ又は／及びＤＨＡに対する脂肪酸組成重量比が条件を満たさない場合、戻り臭の抑制は顕著ではないことが判明した。また、全脂肪酸組成に占める割合が７％以上の場合、オレイン酸、リノール酸、リノレン酸の重量比が適性であっても戻り臭の抑制効果は十分ではないことが判明した。【００３１】
【表３】
0003884465.tif 000004
【００３２】（実施例３）
実施例１に記した油脂組成物に茶抽出抗酸化剤（三共（株）製サンフード油性）を窒素ガス存在下６０℃で０．１％添加し、完全に溶解させた。【００３３】（実施例４）
実施例１に記した油脂組成物にローズマリー抽出抗酸化剤（三菱化学（株）製ＲＭ２１Ｂ）を窒素ガス存在下６０℃で０．０１％添加し、完全に溶解させた。【００３４】  実施例３及び実施例４に示した油脂組成物を内径８．４ｃｍ、深さ３．７ｃｍの深型シャーレに１０ｇ取り、開放状態で６０℃オーブンに保存し、臭気を官能検査により評価した。評価は表２に示した５段階評価とした。
評価結果を表４に示した。抗酸化剤の添加による魚臭（戻り臭）の抑制効果は実施例Ｎｏ．１と比べて顕著な差は認められず、官能上の悪影響を与えるものではない。また油脂酸化劣化を化学的指標で捉えた場合は、改善効果が十分期待できる。【００３５】
【表４】
0003884465.tif 000005
【００３６】（実施例Ａ，Ｂ，Ｃ）
ドコサヘキサエン酸（ＤＨＡ）２３％、エイコサペンタエン酸（ＥＰＡ）７％を含有する精製高ドコサヘキサエン酸含有魚油と、オレイン酸２８．８％、リノール酸４５．５％を含む精製コーン油、リノレン酸を３９．８％含む精製亜麻仁油を用いて表５に示す割合に均一に混合した。【００３７】（比較例Ｄ）
ドコサヘキサエン酸（ＤＨＡ）２３％、エイコサペンタエン酸（ＥＰＡ）７％を含有する精製高ドコサヘキサエン酸含有魚油と、オレイン酸７７．４％を含む精製ハイオレイック紅花油を用いて表５に示す割合に均一に混合した。【００３８】
【表５】
0003884465.tif 000006
【００３９】  実施例Ａ〜Ｃ、比較例Ｄに示した油脂組成物を内径８．４ｃｍ、深さ３．７ｃｍの深型シャーレに１０ｇ取り、開放状態で６０℃オーブンに保存し、臭気を官能検査により評価した。評価は表２に示した５段階評価（４名のパネラー（ｎ＝４）による平均値）とした。評価結果を表６に示したが、ＥＰＡ又は／及びＤＨＡに対する脂肪酸組成重量比が条件を満たさない場合、戻り臭の抑制は顕著ではないことが判明した。【００４０】
【表６】
0003884465.tif 000007